(57)【要約】【課題】  実際の写真プリントの動作において、濃度ムラの無いプリントを行う。【解決手段】  バックプリント済みの印画紙を露光処理する露光ユニットにおける印画紙のベース面に接触する当接面５１Ｓに、印画紙の搬送方向に延びる逃し溝を備えた写真プリント装置を構成するに、搬送方向において逃し溝８０の幅を変化させる。【選択図】        図８
2005352166.tif 000002
【特許請求の範囲】
【請求項１】
印画紙を供給する供給ユニットの下手側に印画紙のベース面へのバックプリントを実行するバックプリント部を備えるとともに、バックプリント済みの印画紙を露光処理する露光ユニットを備え、
前記露光ユニットにおける前記印画紙のベース面に接触する当接面に、前記印画紙の搬送方向に延びる逃し溝を備えた写真プリント装置であって、
前記逃し溝の幅は前記搬送方向に沿って変化させてある写真プリント装置。
【請求項２】
前記逃し溝の幅は、前記搬送方向に沿って漸増又は漸減する請求項１記載の写真プリント装置。
【請求項３】
前記逃し溝の幅は、前記搬送方向に沿って増減を繰り返す請求項１記載の写真プリント装置。
【発明の詳細な説明】
【技術分野】
【０００１】
本発明は、印画紙を供給する供給ユニットの下手側に印画紙のベース面へのバックプリントを実行するバックプリント部を備えるとともに、バックプリント済みの印画紙を露光処理する露光ユニットを備え、
前記露光ユニットにおける前記印画紙のベース面に接触する当接面に、前記印画紙の搬送方向に延びる逃し溝を備えた写真プリント装置に関する。
【背景技術】
【０００２】
銀塩写真においては、印画紙の供給ユニットの下手側にバックプリント部を設け、色、濃度補正値、店名等の情報を写真のベース面（感光面とは反対側の面）に印字している。バックプリント済みの印画紙は露光ユニットに導かれて、ユニットに設けられた露光部で露光処理される。
露光ユニットにおいて、バックプリント済みの印画紙は所定の圧着搬送経路に沿って搬送方向に搬送される。
【０００３】
この搬送経路Ｌは、例えば、図３に示すように下側に位置される基準プレート５１と、上側に位置されるガイドプレート５２との間に形成され、印画紙のベース面は図示する例の場合、基準プレート５１の表面（当接面）に接触することとなる。この様な接触が起こると、印字部にある文字が薄れ、かすれたり、転写してしまったりする。
【０００４】
このような問題を解消するために、印画紙のベース面に接触する搬送経路Ｌの構成部材（上記例においては基準プレート５１）の該当部位に逃し溝を設け、文字の薄れ、転写等の問題を回避していた。この種の例で、露光ガイドに逃し溝を備えた従来構成が特許文献１である。
【０００５】
【特許文献１】特開平１１−６４９９４号公報  （段落番号〔００３６〕、図２，３）
【発明の開示】
【発明が解決しようとする課題】
【０００６】
従来、逃し溝は、印画紙の搬送方向に形成された一定幅の溝であって、この逃し溝では印画紙のベース面が当接面（基準プレート５１の表面）に接触しないことから、ベース面において、搬送経路構成部材（基準プレート）に接触する部位と接触しない部位とが発生する。
【０００７】
以上説明したような形態の露光ユニットを使用して写真プリントを行うと、画像にその直線状の逃し溝によると見られる濃度ムラが発生してしまうことが判明した。
図１１に基づいて、詳細にこの濃度ムラを説明する。
図１１は、一定幅の逃し溝を備えた露光ユニットを使用して形成された画像の濃度ムラの状況を示すものであり、横軸は搬送横断方向の位置を、縦軸は、Ｒ（赤）・Ｇ（緑）・Ｂ（青）それぞれの色濃度に対応している。
同図１１において、図１１（イ）〜（ハ）で示す各図は、印画紙供給ユニットと露光ユニット間における温度差に対応した図である。図１１（イ）にあっては温度差は５℃程度、図１１（ロ）にあっては４℃程度、図１１（ハ）にあっては３℃以下であった。
【０００８】
図１１において、縦方向に延びる一対の破線は、逃し溝の縁の搬送横断方向における位置を示した。
【０００９】
上記の濃度ムラは、同図１１（イ）又は（ロ）に示すように、印画紙供給ユニットと露光ユニット間における温度差が比較的大きい場合に逃し溝の位置で顕著に認められる。
この種の問題が発生する理由は明確ではないが、発明者らの試験において、中央に搬送方向に延びる単一の逃し溝がある場合は、その位置に対応して発生し、搬送横断方向に複数、搬送方向に延びる逃し溝を設けた場合は、それら溝の位置でそれぞれ対応して発生した。
【００１０】
このことから、逃し溝の形態に従って、逃し溝の上に位置する印画紙部位の感光体と、逃し溝から搬送横断方向で離れた位置にあり印画紙が搬送経路形成部材に直接接触する部位の感光体との間において、感光での差が発生するためでないかと推測している。
【００１１】
本発明の目的は、バックプリントの薄れ等を防止するための逃し溝を備えた露光ユニットにあっても、この逃し溝に起因する濃度ムラの発生を抑制することができる写真プリント装置を得ることにある。
【課題を解決するための手段】
【００１２】
上記目的を達成するための、印画紙を供給する供給ユニットの下手側に印画紙のベース面へのバックプリントを実行するバックプリント部を備えるとともに、バックプリント済みの印画紙を露光処理する露光ユニットを備え、
前記露光ユニットにおける前記印画紙のベース面に接触する当接面に、前記印画紙の搬送方向に延びる逃し溝を備えた写真プリント装置の特徴構成は、
前記逃し溝の幅は前記搬送方向に沿って変化させてある点にある。
【００１３】
上記の濃度ムラが発生する原因に関しては明確ではないが、発明者らは印画紙と、この印画紙のベース面に接触するユニット部位の温度差が関係しているのではないかと考えている。さらに、上述のように、搬送方向に延びた直線状の縁を有する逃し溝で、顕著にこの現象が認められたことから、搬送方向に対して傾斜した縁形状の逃し溝を作成して実験をしてみた。結果、本願が問題とする濃度ムラの低減が認められた。従って、搬送方向において溝幅を変化させることで、本願が問題とする縁形状による濃度ムラを低減できる。
【００１４】
また、このように逃し溝の幅は、搬送方向に沿って漸増又は漸減するようにしてもよいし、搬送方向に沿って増減を繰り返す構成としてもよい。
【００１５】
幅を単調に変化させる場合は、比較的簡便な加工手法で、濃度ムラ発生を抑えることができる。
一方、波形とする場合は、縁が搬送方向に沿って直線状とされないことから濃度ムラの発生を防止できる。さらに、図１２（ニ）に示すように、実質的に平行とすることで、搬送方向において、逃し溝幅起因の影響が残るのを避けることができる。
【発明を実施するための最良の形態】
【００１６】
以下、本発明の実施形態を図面に基づいて説明する。
〔全体構成〕
図１に示すように、感光材料としての銀塩印画紙Ｐ（以下、印画紙Ｐと称する）に対して露光を行う露光ブロックＥｘと、このように露光された印画紙Ｐの現像処理を行う現像処理装置としての現像ブロックＤｅと、現像処理後の印画紙Ｐを乾燥する乾燥ブロックＤｒとを筐体１０に形成すると共に、処理後に筐体１０の上部から送り出される印画紙Ｐを水平方向に送るベルト搬送機構１１と、このベルト搬送機構１１からの印画紙をオーダ単位で仕分けて集積するソータ（図示せず）とを備えて写真プリント装置が構成されている。
【００１７】
この写真プリント装置はデジタルミニラボと称せられるものであり、図面には示していないが、フィルムスキャナで光電変換して取り込んだ写真フィルムからの画像情報、あるいは、デジタルカメラで撮影した画像情報を該写真プリント装置に伝送することにより、前記露光ブロックＥｘにおいて、その画像情報に基づき印画紙Ｐに対して露光を行えるものとなっている。
【００１８】
前記露光ブロックＥｘは、印画紙マガジンＭに収納したロール状の印画紙Ｐを供給ユニットＵ１でプリントサイズに切断して送り出し、この供給ユニットＵ１からの印画紙Ｐを水平搬送ユニットＵ２で水平方向に搬送して露光ユニットＵ３に送り込み、この露光ユニットＵ３では印画紙Ｐに画像情報の露光を行い、この露光ユニットＵ３から送り出された印画紙Ｐを縦搬送ユニットＵ４で縦方向に振り分ける形態で搬送した後、前記現像ブロックＤｅに供給するよう構成されている。
【００１９】
前記現像ブロックＤｅは、発色現像槽と漂白定着槽と安定槽とで成る複数の現像処理槽を有する現像処理ユニット１３、及び、夫々の現像処理槽に印画紙Ｐを供給するよう多数の圧着ローラを有した搬送ユニット１４を備えて構成されている。また、乾燥ブロックＤｒは印画紙Ｐに対して乾燥空気を供給する乾燥搬送経路１５を備えている。
【００２０】
図１、図２及び図３に示すように、前記供給ユニットＵ１は、印画紙Ｐに対してバックプリントを実行するバックプリント部ｂを備えるとともに、印画紙マガジンＭから印画紙を引き出す圧着型の供給ローラ１７と、印画紙Ｐを切断するカッター１８とを備えている。前記水平搬送ユニットＵ２は、印画紙Ｐを挟持搬送するチャッカー１９と、このチャッカー１９を水平方向に往復作動させる作動機構（図示せず）とを備えている。
【００２１】
前記露光ユニットＵ３は、圧着位置と開放位置とに切り換え自在な導入圧着ローラ２１と、この導入圧着ローラ２１に対向配置された導入ローラ２２と、圧着位置と開放位置とに切り換え自在な第１圧着ローラ３１と、この第１圧着ローラ３１に対向配置された第１搬送ローラ３２と、圧着位置と開放位置とに切り換え自在な第２圧着ローラ４１と、この第２圧着ローラ４１に対向配置された第２搬送ローラ４２とを備えると共に、第１、第２搬送ローラ３２、４２で搬送方向に搬送される印画紙Ｐに対して搬送横断方向にレーザビームＬＢをライン状に送り出すことにより走査露光を行う露光エンジンＥｎとを備えている。
【００２２】
また、前記第１、第２搬送ローラ３２、４２と、これに対向する第１、第２圧着ローラ３１、４１とで、図３に示す基準面５１Ｓに沿って印画紙Ｐを搬送する搬送機構が構成されている（詳細は後述する）。
【００２３】
ちなみに、露光エンジンＥｎは、ケーシングに収納したＲ（赤）、Ｇ（緑）、Ｂ（青）の三原色のレーザ光源からのレーザビームＬＢを音響光学式の変調手段によって光量を調節した後、縦軸芯で回転するポリゴンミラーのミラー面で反射させることにより搬送横断方向に走査する状態で前記露光位置に送り出す構造のものが使用されている。尚、この露光エンジンＥｎとして液晶シャッター方式やＤＭＤ方式の使用が可能である。
【００２４】
縦搬送ユニットＵ４は、露光ユニットＵ３から水平方向に送り出される印画紙Ｐを先端側から受け入れ、後端側から送り出す圧着型の一対の反転ローラ６１と、この反転ローラ６１から上方に送り出される印画紙Ｐを受け取り、上方に送りながら２つの振り分け経路に交互に振り分けるチャッキングローラ６２を具備した振り分け作動部６３と、この振り分け作動部６３からの印画紙Ｐを受け取り、前記現像処理ブロックＤｅに供給する圧着型の複数の中間ローラ６４とを備えている。
【００２５】
〔印画紙の搬送形態〕
この写真プリント装置では、印画紙マガジンＭの印画紙Ｐを供給ローラ１７で引き出してカッター１８に供給し、このカッター１８の部位を通過した印画紙Ｐの先端部を水平搬送ユニットＵ２のチャッカー１９で挟持して水平方向に搬送する。
【００２６】
この搬送時に供給ローラ１７の回転量に基づいて印画紙Ｐの搬送量がプリントサイズに達したことを判別した時点で印画紙Ｐの搬送を一時的に中断してカッター１８によって印画紙Ｐの切り離しを行い、この後、印画紙Ｐの先端を露光ユニットＥｘの導入ローラ２２に受け渡し、この受け渡しの後に、水平搬送ユニットＵ２のチャッカー１９での挟持を解除する。
【００２７】
露光ユニットＥｘでは、水平搬送ユニットＵ２から印画紙Ｐを受け取る際には導入圧着ローラ２１を予め開放位置に設定しておき、印画紙Ｐの先端が圧着可能な位置に達したタイミングで圧着位置に切り換えることにより導入圧着ローラ２１と導入ローラ２２との圧着によって搬送を開始する。
【００２８】
このように導入圧着ローラ２１と導入ローラ２２とで印画紙Ｐの搬送を開始する際には、第１圧着ローラ３１を予め開放位置に設定しておき、印画紙Ｐの先端が圧着可能な位置に達した時点で圧着位置に切り換え、また、これと連係して導入圧着ローラ２１を開放位置に切り換えることにより、この第１圧着ローラ３１と第１搬送ローラ３２との圧着によって搬送を開始し、この搬送と同期して露光エンジンＥｎによる露光を開始する。
【００２９】
このように第１圧着ローラ３１と第１搬送ローラ３２とで印画紙Ｐの搬送を開始する際には、第２圧着ローラ４１を予め開放位置に設定しておき、印画紙Ｐの先端が圧着可能な位置に達した時点で圧着位置に切り換え、また、これと連係して第１圧着ローラ３１を開放位置に切り換えることにより、この第２圧着ローラ４１と第２搬送ローラ４２との圧着によって搬送を引き継いで行い、印画紙Ｐに対する露光を継続する。
【００３０】
縦搬送ユニットＵ４では、露光ユニットＵ３から印画紙Ｐが送り出される際には、前記反転ローラ６１に対して印画紙Ｐを先端側から受け入れ、この受け入れの後には、印画紙Ｐの後端位置に達するまで反転ローラ６１の駆動を継続する。この受け入れを行った後には、反転ローラ６１を水平軸芯周りで９０度回転させることにより印画紙Ｐを後端側を上方に向かわせ、その印画紙Ｐを上方に送り出す。この印画紙Ｐの送り出し以前に振り分け作動部６３をホームポジションに待機させておき、チャッキングローラ６２で印画紙Ｐを挟持した後には、振り分け作動部６３を上方に移動させると同時に、印画紙Ｐを振り分け経路の一方に振り分けるよう印画紙Ｐの幅方向にシフトさせ、前記中間ローラ６４に受け渡す作動を行い、次の印画紙Ｐに対して同様の作動を行うことにより、その印画紙Ｐを振り分け経路の他方に振り分けた後、中間ローラ６４に対して受け渡す作動を行うものとなっている。
【００３１】
以上のように説明した写真プリント装置の基本的な構成、及び、印画紙Ｐの基本的な搬送形態は、特開２００２−５５３９８号公報、特開２００２−５５４００号公報に記載されるように公知の技術であり、本発明は、供給ユニット部位、この供給ユニットから露光ユニットに至る露光ユニット到達経路部位、さらには露光ユニット部位Ｕ３間における温度制御構成に特徴を有するものである。
【００３２】
〔露光ユニットの具体構造〕
図３に示すように、露光ユニットＵ３は、アルミニウム鋳物製のフレームＦに対して、印画紙Ｐの基材の側（ベース面）を案内するアルミニウム板製の基準プレート５１と、印画紙Ｐの感光面側に配置されたステンレス板製のガイドプレート５２とを取り付けた構造を有している。
【００３３】
また、印画紙Ｐの搬送方向での上流側には基準プレート５１の下側に光源Ｓａを配置し、ガイドプレート５２の上方に配置した中間フレーム５３に受光部Ｓｂを配置した赤外光式のセンサＳを備え、印画紙Ｐの搬送方向での下流側には基準プレート５１の下側に光源Ｓａを配置し、ガイドプレート５２の後端部に受光部Ｓｂを配置した赤外光式のセンサＳを備えている。
【００３４】
この一対のセンサＳのうち、搬送方向の上流側のものは印画紙Ｐの端部位置の検出に基づいて露光のタイミングを決め、また、搬送方向の下流側のものは印画紙Ｐの端部位置の検出に基づいて縦搬送ユニットＵ４に印画紙Ｐを受け渡すタイミングを決めるように機能する。
【００３５】
図７〜図１０に示すように、フレームＦは前記基準プレート５１を支持する水平姿勢の支持体Ｆａと、この支持体Ｆａの両端部の下面側に配置される縦姿勢の一対の下部壁体Ｆｂと、前記支持体Ｆａの両端部の上面側に配置される縦姿勢の一対の上部壁体Ｆｃとを一体的に形成した構造を有している。
【００３６】
下部壁体Ｆｂに前記導入ローラ２２を支承する軸受Ｂ（図４を参照）の保持部２２Ｘ（図１０を参照）と、前記第１、第２搬送ローラ３２、４２を支承する軸受Ｂの保持部３２Ｘ、４２Ｘとを形成し、上部壁体Ｆｃに前記３つ圧着ローラ２１、３１、４１を揺動自在に支持する揺動軸２３、３３、４３（図４を参照）の軸受Ｂの保持部２３Ｘ、３３Ｘ、４３Ｘを形成している。
【００３７】
前記フレームＦの支持体Ｆａの上面側を研削加工等により平滑に仕上げて連結面Ｆｓを形成し、この連結面Ｆｓに平行ピン７２を立設固定し、この連結面Ｆｓに対してボルト７１が螺合する一対のネジ孔Ｔと、ボルト７３が螺合する一対のネジ孔Ｔとを形成し、更に、前記センサＳの光線が通過する２つの孔部Ｈを形成している。
【００３８】
また、前記連結面Ｆｓの両側部に連結面より高レベルとなる支持面Ｆｔを形成し、一方の支持面Ｆｔにボルト７３が螺合する一対のネジ孔Ｔを形成し、更に、上部壁体Ｆｃの対向する段状部位Ｆｕに前記中間フレーム５３を固定するボルト７４が螺合するネジ孔Ｔを形成している。ちなみに、基準プレート５１の一方の端部側は前記ボルト７１により前記フレームＦの連結面Ｆｓに固定され、この基準プレート５１の他方の端部側は、前記ガイドプレート５２の他方の端部側に挿通するボルト７３によって前記ガイドプレート５２とともに固定される。
【００３９】
このフレームＦには前記下部壁体Ｆｂに形成される複数の保持部３２Ｘ、４２Ｘと、前記上部壁体Ｆｃに形成される複数の保持部２３Ｘ、３３Ｘ、４３Ｘとは該フレームＦの型成形時に予め設定された位置に形成されるものであるが、前記平行ピン７２の位置に基づいて軸受Ｂを嵌め込む面を精度高く仕上げている。
【００４０】
図３及び図４に示すように、前記導入ローラ２２は金属製の軸体２２Ａに対してゴムや樹脂で成る複数のローラ部２２Ｂを形成して成り、第１、第２搬送ローラ３２、４２は金属製の軸体３２Ａ、４２Ａに対して、アルミニウム等の金属材の表面にセラミックコーティングを施した複数のローラ部３２Ｂ、４２Ｂを形成して成り、前記３つの圧着ローラ２１、３１、４１は夫々とも、金属製の軸体２１Ａ、３１Ａ、４１Ａに対してゴムや樹脂で成る複数のローラ部２１Ｂ、３１Ｂ、４１Ｂを形成している。
【００４１】
そして、この導入ローラ２２の軸体２２Ａの両端部に備えたボールベアリング型の軸受Ｂを前記下部壁体Ｆｂの前記保持部２２Ｘに保持することにより、この導入ローラ２２をフレームＦに対して水平姿勢で遊転支承し、第１、第２搬送ローラ３２、４２の軸体３２Ａ、４２Ａの両端部に備えたボールベアリング型の軸受Ｂを前記下部壁体Ｆｂの前記保持部３２Ｘ、４２Ｘに保持することにより、この第１、第２搬送ローラ３２、４２をフレームＦに対して水平姿勢に遊転支承できるよう構成されている。尚、この導入ローラ２２、第１搬送ローラ３２、第２搬送ローラ４２は、夫々とも印画紙Ｐの搬送方向と直交する姿勢（搬送横断方向と平行となる姿勢）となる平行姿勢で支承される。
【００４２】
図５及び図６に示すように、前記導入ローラ２２はステッピングモータ型の導入モータＭ１から無端ベルト５５を介して伝えられる駆動力によって回転作動し、第１、第２搬送ローラ３２、４２は、ステッピングモータ型の搬送モータＭ２から２段に減速する無端ベルト５６、５７及びプーリ５８を介して伝えられる駆動力によって回転作動する。また、導入モータＭ１と搬送モータＭ２とを前記上部壁体Ｆｃに備えている。
【００４３】
前記導入圧着ローラ２１は、この導入圧着ローラ２１と平行姿勢の揺動軸２３に備えたアーム２４の揺動端部に対して遊転支承されている。この揺動軸２３が導入圧着ローラ２１を位置変位自在に支持する支持機構であり、この揺動軸２３の両端部に備えた軸受Ｂを前記上部壁体Ｆｃの前記保持部２３Ｘに保持することにより、揺動軸２３の軸芯周りでの揺動によって導入ローラ２２に圧着する圧着位置と、導入ローラ２２から離間する開放位置とに切り換え自在に構成している。
【００４４】
また、前記アーム２４の揺動端には、導入圧着ローラ２１を導入ローラ２２の側に付勢する圧縮コイルバネ２５を備え、導入圧着ローラ２１の一方の端部側にカムフォロアー２６を遊転支承している。更に、このカムフォロアー２６を介して導入圧着ローラ２１を圧着位置と開放位置とに切り換え操作する回転カム２７を前記下部壁体Ｆｂに備え、この回転カム２７を無端ベルト２８を介して回転操作するカムモータＭ３を上部壁体Ｆｃに備えている。
【００４５】
前記第１、第２圧着ローラ３１、４１は、夫々と平行姿勢の揺動軸３３、４３に備えたアーム３４、４４の揺動端部に対して遊転支承されている。前記揺動軸３３が、第１圧着ローラ３１を位置変位自在に支持する支持機構であり、揺動軸４３が、第２圧着ローラ４１を位置変位自在に支持する支持機構であり、夫々の揺動軸３３、４３の両端部に備えた軸受Ｂを前記上部壁体Ｆｃの保持部３３Ｘ、４３Ｘに保持することにより、揺動軸３３、４４の軸芯周りでの揺動によって、夫々が第１、第２搬送ローラ３２、４２に圧着する圧着位置と、夫々が第１、第２搬送ローラ３２、４２から離間する開放位置とに切り換え自在に構成されている。
【００４６】
また、夫々のアーム３４、４４の揺動端には第１、第２圧着ローラ３１、４１を対応する第１、第２搬送ローラ３２、４２の側に付勢する圧縮コイルバネ３５、４５を備えている。
【００４７】
夫々の第１、第２圧着ローラ３１、４１の一方の端部側にカムフォロアー３７、４７を遊転支承し、夫々のカムフォロアー３７、４７を介して第１、第２圧着ローラ３１、４１を圧着位置と開放位置とに切り換え操作する第１、第２回転カム３８、４８を一体的に回転するよう前記下部壁体Ｆｂに備え、この第１、第２回転カム３８、４８を無端ベルト５０を介して回転操作するカムモータＭ４を下部壁体Ｆｂに備えている。
【００４８】
前記基準プレート５１は、アルミニウム製の板材に対して前記導入ローラ２２のローラ部２２Ｂと、前記第１、第２搬送ローラ３２、４２のローラ部３２Ｂ、４２Ｂとが挿入する複数の開口５１Ａを形成する加工と、前記ボルト７１、７３が挿通するボルト孔５１Ｂを形成し、前記センサＳの光線が通過する孔部Ｈを形成する等の必要な加工とを施すと共に、基準面５１Ｓの側を研削加工等により平滑に仕上げ、必要な部位にバフ加工を行い、この後に、この基準面５１Ｓをアルマイト処理し、更に、このようにアルマイト処理した基準面５１Ｓに対して反射防止層として黒色の着色処理を行っている。
【００４９】
また、この反射防止層を形成する手段として、アルミニウム素地表面に陽極酸化処理をした際に形成される微細な穴に黒色の染料を染み込ませる処理を想定している。そして、この基準プレート５１の裏面側には前記平行ピン７２（図１０を参照）が嵌合する一対の凹状の嵌合部５１Ｃが形成されている。
【００５０】
前記基準プレート５１の端部のうち、印画紙Ｐの搬送方向での上手側には、印画紙Ｐを基準面の側に案内する傾斜面（すくい面）を形成してあり、前記開口５１Ａの開口縁のうち、下面側は、図３及び図１０に示す如く、ローラの外周面に沿うよう斜め姿勢に成形してある。夫々の開口５１Ａのうち、基準面側は印画紙Ｐの端部を基準面５１Ｓの側に案内するよう斜め姿勢に成形してある。
【００５１】
因みに、この基準プレート５１の製造工程としては、必要とする厚みを得る加工を行った後に、前記一対の嵌合部５１Ｃを形成し、この嵌合部５１Ｃを基準とした位置に前記複数の開口５１Ａを形成する加工を行い、嵌合部５１Ｃを基準とした位置に前記ボルト孔５１Ｂと、前記孔部Ｈとを形成する加工を行うことにより、第１、第２搬送ローラ３２、４２のローラ部の３２Ｂ、４２Ｂとの相対的な位置精度を高め、ボルト孔５１ＢとフレームＦの支持面Ｆａに形成したネジ孔Ｔとの相対的な位置精度を高め、孔部ＨとセンサＳとの相対的な位置精度を高めるものにしている。
【００５２】
以上は、基準プレート５１の基本構成であるが、図８、１０に示すように、前記基準プレート５１の表面には、搬送方向に逃し溝８０が形成されている。この逃し溝８０は、バックプリントのかすれ、転写等の発生を防止するためのものである。
また、本願装置にあっては、図８に示すように逃し溝８０は搬送方向に沿って、その幅を異ならせてあり（逃し溝の幅を変化させてあり）、搬送下手側に向かうに従って溝幅が狭くなるように構成されている。このように構成することで、本願が問題とする帯状の濃度ムラの発生を防止することができる。
【００５３】
前記ガイドプレート５２は、ステンレス製の板材に対して前記第１、第２圧着ローラ３１、４１のローラ部が挿入する開口５２Ａを形成し、前記露光エンジンＥｎからのレーザビームＬＢが通過するためのスリット５２Ｂを形成し、前記ボルト７３が挿通するボルト孔５２Ｃを形成し、前記センサＳの光線が通過する孔部Ｈを形成する等の必要な加工を施している。また、前記スリット５２Ｂの開口縁のうち下流側の端部を基準プレート５１から離間する側に屈曲させ、前記開口５２Ａのうち下流側に位置するものの開口縁のうち下流側の端部を基準プレート５１から離間する側に屈曲させることにより、印画紙Ｐを円滑に送るようにしている。
【００５４】
更に、このガイドプレート５２において印画紙Ｐの搬送方向での下流側を折り曲げ、このガイドプレート５２の本体部分に平行姿勢となる支持片５２Ｄを形成し、この支持片５２Ｄに対して前記センサＳの受光部Ｓｂを取り付けている。
【００５５】
これらの構成から露光ユニットＵ３を組み立てる際には、フレームＦの連結面Ｆｓに突設した平行ピン７２と、基準プレート５１の嵌合部５１Ｃとを嵌合させた位置決め状態で、基準プレート５１の上面側からネジ孔Ｔに挿通したボルト７１を連結面Ｆｓのネジ孔Ｔに螺合させて固定した後、フレームＦの支持面Ｆｔに対してガイドプレート５２を載置して、ボルト孔５２Ｃに挿通したボルト７３を支持面Ｆｔのネジ孔Ｔに螺合させる順序で基準プレート５１と、ガイドプレート５２とをフレームＦに連結する。また、基準プレート５１の一端側（図１０において右側）はガイドプレート５２のボルト孔５２Ｃに挿通したボルト７３によって固定される。このように連結することにより基準プレート５１の基準面５１Ｓとガイドプレート５２の下面側との間に印画紙Ｐが挿通可能なように０．８ｍｍ程度の隙間が形成される。
【００５６】
また、前記導入ローラ２２、第１、第２搬送ローラ３２、４２を軸受Ｂを介して保持部２２Ｘ、保持部３２Ｘ、４２Ｘに支承する工程は、基準プレート５１、ガイドプレート５２の連結の以前に行っても以後に行っても良いが、導入圧着ローラ２１、第１、第２圧着ローラ３１、４１をフレームＦに支持する工程は、基準プレート５１と、ガイドプレート５２とをフレームＦに連結した工程の以後となる。具体的には、導入圧着ローラ２１、第１、第２圧着ローラ３１、４１を対応する揺動軸２３、３３、４３に支持し、カムフォロアー２６、３７、４７を予め組み立てた状態で軸受Ｂを介して前記上部壁体Ｆｃに形成された保持部２３Ｘ、３３Ｘ、４３Ｘに対して支承する手順となる。
【００５７】
これらの工程が終了した後に、前記圧縮コイルバネ２５、３５、４５を取付け、導入モータＭ１、搬送モータＭ２、カムモータＭ３、カムモータＭ４等をフレームＦに支持する工程等を行うことになる。尚、基準プレート５１の基準面５１Ｓに対して第１、第２搬送ローラ３２、４２のローラ部３２Ｂ、４２Ｂの外周面が僅かに突出するよう相対的な位置関係が設定される。
【００５８】
〔逃し溝による濃度ムラ対策〕
図１に示すように、本願の写真プリント装置にあっては、本願が課題とする逃し溝起因の濃度ムラを解消するための制御構造が採用されている。この種の濃度ムラ制御は、露光ブロックＥｘ内での雰囲気温度制御により濃度ムラの発生を抑制する制御及び、露光ブロックＥｘ内に所定の温度差がある場合は、写真プリント動作を許容しないとする制御である。この目的から、装置には制御器Ｃが備えられており、前者の制御は、制御器Ｃ内に備えられる温度制御手段Ｃ１により行われ、後者の制御はプリント許可手段Ｃ２により行われる。
【００５９】
この制御器Ｃは、実際に使用する印画紙Ｐと、この印画紙Ｐを使用する場合に適応さるべき温度差を記憶した記憶手段ｍを備えている。この記憶手段は、複数の印画紙と、それら印画紙それぞれについて許容する温度差からなるテーブルを備えている。そして、使用する印画紙Ｐが特定された段階で、制御に使用すべき温度差を読み出し、この温度差を制御に利用する。
【００６０】
以下、両者の制御構成に関してさらに詳細に説明する。
〔露光ブロック内の温度制御〕
この制御は前記温度制御手段Ｃ１により実行される制御であり、図１に示すように、供給ユニットＵ１の近傍及び露光ユニットＵ３の近傍には、それら部位の温度を検出する温度センサｔがそれぞれ備えられており、各センシング位置の温度を制御器Ｃ側で把握可能に構成されている。
【００６１】
また、露光ブロックＥｘにおける供給ユニットＵ１、露光ユニットＵ３に対してファンｆ１、ｆ２を設け、風量調整により、外気導入ファン風がマガジン部とバックプリント後のペーパー搬送系及び露光ユニットＵ３の温度差を吸収するように当たる構造にし、両ユニットの雰囲気温度差を抑える構成が採用されている。
【００６２】
即ち、上記各温度センサｔからの検出情報は制御器Ｃへ送られ、この制御器Ｃの指令に従って、前記ファンｆ１，２が作動する。この制御器Ｃの動作形態は、供給ユニットＵ１近傍の温度と、露光ユニットＵ３近傍との温度差を所定の温度差以内に制御するものであり、具体的には両者間の温度差を印画紙に対応した温度差である、例えば３℃以下に制御する。
【００６３】
この種の温度制御を実施するには、例えば、比較的高温になりやすい露光ユニットＵ３側に関しては、その近傍温度を２５℃〜３５℃程度に制御する。一方、供給ユニットＵ１側にあっては露光ユニットＵ３側の熱を受熱できる程度に、露光ユニット近傍の雰囲気を供給ユニットＵ１側導くようにしてもよい。このようにすることで、供給ユニット近傍及び露光ユニット近傍の温度差を実質的に許容温度差範囲内にすることができ、逃し溝起因の濃度ムラの発生を抑えることができる。
【００６４】
〔写真プリント動作の許可〕
制御器Ｃにおいては、供給ユニットＵ１と露光ユニットＵ３における雰囲気温度の温度差が把握されているが、当該制御器Ｃにあっては、前述のプリント許可手段Ｃ２を備えることで、この温度差が所定の温度差以下になるまで、写真プリント動作を許可しない構成とされている。結果、温度差が所定の範囲内に落ち着いた状態で、写真プリント動作を開始することで、本願が問題とする濃度ムラの発生を防止することができる。
【００６５】
〔別実施の形態〕
上記の実施の形態にあっては、印画紙の搬送方向で、その溝幅を変化させて、本願にいう逃し溝起因の濃度ムラの発生を防止しているが、図１２のように構成してもよい。図１２（イ）は、逃し溝の幅を搬送方向に沿って変えるのに曲線的に変化させた例を、図１２（ロ）は漸減させた例を、図１２（ハ）は漸増させた例を示した。さらに、図１２（ニ）は、概略平行線状でありながら逃し溝の縁を波線とした例である。
【００６６】
上記の実施の構成においては、露光ユニットＵ３に、基準プレート５１とフレームＦとを備え、これらを別部材として構成したが、従来行われていたようにフレームＦの天面に、印画紙のベース面が接触する構成を採用してもかまわない。
【００６７】
印画紙のベース面が接触する面の材質は熱伝導性の高いものが好ましいが、アルミニウムに限るものではなく、銅等を含む合金やステンレスであっても良い。
【図面の簡単な説明】
【００６８】
【図１】写真プリント装置の縦断側面図
【図２】印画紙の搬送経路の概略を示す斜視図
【図３】露光ユニットのフレームの部位を示す断面図
【図４】露光ユニットの搬送系を示す分解斜視図
【図５】導入ローラ、第１搬送ローラ、第２搬送ローラの駆動系の模式図
【図６】カムフォロアーの操作系を示す模式図
【図７】フレームと基準プレートとガイドプレートとの分解図
【図８】フレームと基準プレートとの分解状態を示す平面図
【図９】ガイドプレートの平面図
【図１０】フレームと基準プレートとガイドプレートとを示す分解斜視図
【図１１】搬送方向に平行な逃し溝を備えた装置の濃度ムラ発生状況を示す図
【図１２】逃し溝の別構成を示す図
【符号の説明】
【００６９】
３２、４２    搬送ローラ
３１、４１    圧着ローラ
５１          基準プレート
５１Ａ        開口
５１Ｓ        基準面（当接面）
８０          逃し溝
Ｂ            軸受
ｂ            バックプリント部
Ｃ            制御器
Ｃ１          温度制御手段
Ｃ２          プリント許可手段
Ｆ            フレーム
ｆ            ファン
Ｆａ          支持体
Ｆｂ          下部壁体
Ｆｃ          上部壁体
ｍ            記憶手段
Ｐ            感光材料
ｔ            温度センサ
Ｅｎ          露光エンジン
【図１】
2005352166.tif 000003
【図２】
2005352166.tif 000004
【図３】
2005352166.tif 000005
【図４】
2005352166.tif 000006
【図５】
2005352166.tif 000007
【図６】
2005352166.tif 000008
【図７】
2005352166.tif 000009
【図８】
2005352166.tif 000010
【図９】
2005352166.tif 000011
【図１０】
2005352166.tif 000012
【図１１】
2005352166.tif 000013
【図１２】
2005352166.tif 000014